(57)【特許請求の範囲】
【請求項１】
筒状の合成樹脂製シートの下方を閉塞し、上方が開口されて形成されるゴミ袋において、
上部の開口部と平行して正面及び背面に横ミシン目を備えて該横ミシン目より上方に所定幅を有する紐体を形成すると共に、側辺から其々所定幅を空けて横ミシン目から下方に向かって且つ該横ミシン目とＴ字状に交差するように正面及び背面の左右其々に所定長さの縦ミシン目を備えて複数の舌片を形成し、且つ、正面及び背面における左右の縦ミシン目間の略中央位置に吊持フック若しくはプレートが掛けられる開口穴を設けて成り、
前記横ミシン目と前記縦ミシン目を破って前記舌片同士若しくは前記舌片と前記紐体とを適宜固結びすることによって、ゴミ出し用、ゴミ箱用、吊持用、携帯用の各ゴミ袋として多目的に使用することができることを特徴とするゴミ袋。
【請求項２】
前記請求項１に記載のゴミ袋を使用するための方法であって、前記ゴミ袋の正面及び背面の中央に形成される舌片同士ならびに左右両端に形成される舌片同士を袋状になるように其々固結びすることで、ゴミ出し用のゴミ袋として使用することを特徴とするゴミ袋の使用方法。
【請求項３】
前記請求項１に記載のゴミ袋を使用するための方法であって、前記ゴミ袋の上部の開口部を外側に折り返してゴミ箱の開口部に被覆させ、その上から前記紐体でもって該開口部が開口状態で固定されるように固結びすることで、ゴミ箱用のゴミ袋として使用することを特徴とするゴミ袋の使用方法。
【請求項４】
前記請求項１に記載のゴミ袋を使用するための方法であって、前記紐体の両端と前記ゴミ袋の左右両端に形成される舌片とを固結びし、さらに前記ゴミ袋の正面及び背面に其々設けられた開口穴のいずれか一方に吊持フックを通すことで、開口部の開放状態が常時維持される吊持用のゴミ袋として使用することを特徴とするゴミ袋の使用方法。
【請求項５】
前記請求項１に記載のゴミ袋を使用するための方法であって、前記紐体の両端と前記ゴミ袋の左右両端に形成される舌片とを肩掛けすることができるバンド状に固結びすることで、携帯用のゴミ袋として使用することを特徴とするゴミ袋の使用方法。
【発明の詳細な説明】
【技術分野】
【０００１】
本発明はゴミ袋に関し、詳しくは、ゴミ袋の開口部にミシン目で形成される紐体と舌片及び開口穴を設けることによって、多目的用途に使用できるゴミ袋とその使用方法に関する。
【背景技術】
【０００２】
従来の一般家庭や事業所、飲食店、公共施設等から排出される生ゴミや不燃ゴミは、透明な合成樹脂製シートで形成されるゴミ袋によって、開口口の両端を結び合わせて封止した状態で、ゴミステーションに廃棄されている。
【０００３】
しかしながら、かかる開口口の両端を結び合わせてゴミを排出するゴミ袋は、開口口から結び合わせる両端領域を確保するために一定のゴミ収納量を犠牲にしなければならず、さらに満杯の状態で無理やりに結び合わせた場合は、結び目が強く緊桔されているため指が入りにくく持ち運びに不便であると共に、ゴミ収集時にゴミ袋の開口口の結び目が解けてゴミの散乱、水漏れ、悪臭や害虫の発生等、ゴミ収集所周辺の環境悪化を招くものであった。
【０００４】
従来より、上記の問題点を解決しようとする提案がなされている。例えば、炭酸カルシウムを含む厚さ４０μｍ以上の低密度ポリエチレンフィルムを、一方の端部を開放して製袋してなる半透明ゴミ袋において、上記開放端部に４本の切り込みが設けられた「ゴミ袋」（特許文献１）が提案されている。
【０００５】
しかしながら、上記「ゴミ袋」の提案は、ゴミ箱の開口部にゴミ袋を折り返えして備え付けた際に、切込みによって形成される舌片がゴミ箱の開口部にバラバラの状態で備え付けられるものであり、見栄えが悪い上、ゴミ処理作業においても手間を要する問題点があった。
【０００６】
また、一般家庭等で使用される底部が閉塞され、上部に開口部を有するポリエチレン等合成樹脂製のゴミ袋の上部に、袋体中心より左右が対象であり、その終結部を内向きに湾曲させた切り離し可能なミシン目を設け、このミシン目を切り離した時に生じる結び片を設けた「ゴミ袋」（特許文献２）や、可燃物または不燃物のごみを開口部の投入口から袋内に収めたのち、開口部が封止されるポリオレフィン製ごみ袋において、開口部の袋幅方向の両側部付近に、所定間隔をあけて袋長さ方向へ延びる結び紐部形成用の切断ライン部をそれぞれ形成し、該各切断ライン部の元部側の端付近に、両端を開口部側へ向けた円弧スリット、または円形もしくは楕円形のポンチ孔を形成した「ポリオレフィン製ごみ袋」（特許文献３）が提案されている。
【０００７】
しかしながら、上記「ゴミ袋」ならびに「ポリオレフィン製ごみ袋」の提案は、ミシン目によって形成される舌片を互いに結び合わせる構造を有するもので、ごみ収集所までの持ち運び距離が短いゴミ袋として使用するには問題ないが、大型で重量が重くなる公共施設や業務用のゴミ袋として、あるいは、町内清掃活動や自然環境の美化運動の携帯用のゴミ袋として使用するには不適なものであった。
【０００８】
また、樹脂フィルム製ゴミ袋の一端にミシン目を入れた「ミシン目入り樹脂フィルム製袋」（特許文献４）が提案されている。
【０００９】
しかしながら、上記「ミシン目入り樹脂フィルム製袋」の提案は、同じ袋の一部分にミシン目を入れ、該ミシン目部分を切裂いて止め紐として使用することにより、非力の人でも簡単に袋の口を束ね結ぶことができるが、止め紐を直接持った場合に、止め紐で束ねられたゴミ袋のトバ口が収納されるゴミの重みで抜け落ちる可能性があるもので、ごみ出しの際にはゴミ袋のトバ口を必ず持たなければならないという限定が生じるものであった。
【００１０】
また、可撓性を有するシートからなり、底部が閉塞され、上部に開口部を有する袋体の両側部から前記開口部に沿って中央部に向け、切り離し可能なミシン目を形成し、前記中央部を残して主結び片を設けると共に、前記袋体の両側部に前記主結び片を挿通可能な開口穴を設け、さらに前記袋体の中央部に前記開口部から縦方向に切り離し可能な２条のミシン目を設け、このミシン目の間に補助結び片を設けた「ゴミ袋」（特許文献５）が提案されている。
【００１１】
しかしながら、上記「ミシン目入り樹脂フィルム製袋」の提案は、主結び片と補助結び片がシートの厚みを使用した構造であることから、ゴミ袋に収納されたゴミの重みで伸び切ってしまう可能性があるもので、その強度性と耐久性に問題があった。
【００１２】
以上のように従来のゴミ袋の殆どは、ゴミ袋の開口部にミシン目を設け、該ミシン目によって形成される舌片を利用してゴミ袋の開口部を封鎖する機能を有するもので、町内の清掃活動や自然環境の美化運動の携帯用のゴミ袋として使用することには不向きであった。
【００１３】
他方、携帯することができるゴミ袋としては、袋本体の両側に手提用延長部が形成され、この両手提用延長部の内縁間を切欠するように袋開口部が形成されているプラスチックフイルム袋であって、前記両手提用延長部は、一方が幅広手提用延長部に形成され、他方が幅狭手提用延長部に形成されて、一方の幅広手提用延長部が他方の幅狭手提用延長部よりも幅広く形成されている「ゴミ拾集用ゴミ袋」が提案されている。
【００１４】
しかしながら、上記「ゴミ拾集用ゴミ袋」の提案は、下記に示すような問題を有するものであった。
（１）両手提用延長部の内縁間を切欠するように設けられる袋開口部の開口口が狭いため、ゴミ袋内にゴミを拾集しづらいという問題。
（２）ゴミ拾集用ゴミ袋の全体形状が複雑で、製品コストが高いという問題。
（３）ゴミ拾集作業時にゴミ袋を片手で持たなければならないため持ち手の疲労が伴うと共に、両手が使えないためゴミ拾い作業が能率よくできないという問題。
（４）ゴミ拾集用ゴミ袋に限定され、家庭用のゴミ袋としては使いづらいという問題。
（５）ゴミ拾集後の袋開口部の封止が確実に行えないという問題。
（６）手提げ用となることから２０リットル以上のゴミ袋とすることができないという問題。
【００１５】
上記「ゴミ拾集用ゴミ袋」の提案は、以上の多くの問題点を有するためにゴミ拾集用のゴミ袋としての利用価値に留まるものであって、本発明のようなゴミ袋の開口部にミシン目で形成される紐体と舌片及び開口穴を設けることによって、多目的用途に使用できるゴミ袋の提供を図ることができないものであった。
【００１６】
本出願人は、以上のような従来のゴミ袋における開口部の構造に着目し、該開口部に適宜改良を加えることで多目的用途に使用できるゴミ袋ができないものかという着想の下、ミシン目で形成される紐体と舌片及び開口穴をゴミ袋の開口部に設けることによって、多目的用途に使用できるゴミ袋を開発し、本発明における「ゴミ袋」の提案に至るものである。
【先行技術文献】
【特許文献】
【００１７】
【特許文献１】実用新案登録第３００５３３９号公報
【特許文献２】実用新案登録第３０２９８２９号公報
【特許文献３】実用新案登録第３０３１５５０号公報
【特許文献４】実用新案登録第３００１６３４号公報
【特許文献５】実用新案登録第３０１９３８８号公報
【特許文献６】特許第３７３２１７９号公報
【発明の概要】
【発明が解決しようとする課題】
【００１８】
本発明は上記問題点を鑑み、ゴミ袋の開口部にミシン目で形成される紐体と舌片と開口穴とを設けることによって、多目的用途に使用できるゴミ袋の提供を図ることを課題とする。
【課題を解決するための手段】
【００１９】
上記課題を解決すべく、本発明は、筒状の合成樹脂製シートの下方を閉塞し、上方が開口されて形成されるゴミ袋であって、上部の開口部と平行して正面及び背面に横ミシン目を備えて該横ミシン目より上方に所定幅を有する紐体を形成すると共に、側辺から其々所定幅を空けて横ミシン目から下方に向かって且つ該横ミシン目とＴ字状に交差するように正面及び背面の左右其々に所定長さの縦ミシン目を備えて複数の舌片を形成し、且つ、正面及び背面における左右の縦ミシン目間の略中央位置に吊持フック若しくはプレートが掛けられる開口穴を設けて成り、前記横ミシン目と前記縦ミシン目を破って前記舌片同士若しくは前記舌片と前記紐体とを適宜固結びすることによって、ゴミ出し用、ゴミ箱用、吊持用、携帯用の各ゴミ袋として多目的に使用することができる手段を採る。
【００２０】
また本発明は、前記ゴミ袋の使用方法であって、前記ゴミ袋の正面及び背面の中央に形成される舌片同士ならびに左右両端に形成される舌片同士を袋状になるように其々固結びすることで、ゴミ出し用のゴミ袋として使用する手段を採る。
【００２１】
また本発明は、前記ゴミ袋の使用方法であって、前記ゴミ袋の上部の開口部を外側に折り返してゴミ箱の開口部に被覆させ、その上から前記紐体でもって該開口部が開口状態で固定されるように固結びすることで、ゴミ箱用のゴミ袋として使用する手段を採る。
【００２２】
また本発明は、前記ゴミ袋の使用方法であって、前記紐体の両端と前記ゴミ袋の左右両端に形成される舌片とを固結びし、さらに前記ゴミ袋の正面及び背面に其々設けられた開口穴のいずれか一方に吊持フックを通すことで、開口部の開放状態が常時維持される吊持用のゴミ袋として使用する手段を採る。
【００２３】
また本発明は、前記ゴミ袋の使用方法であって、前記紐体の両端と前記ゴミ袋の左右両端に形成される舌片とを肩掛けすることができるバンド状に固結びすることで、携帯用のゴミ袋として使用する手段を採る。
【発明の効果】
【００２４】
本発明のゴミ袋によれば、ゴミ袋の開口部にミシン目で形成される紐体と舌片及び開口穴を設けることによって、ゴミ出し用のゴミ袋やゴミ箱用のゴミ袋として、また、吊持用のゴミ袋や携帯用のゴミ袋として等々、従来にない多目的用途に使用することができるといった優れた効果を奏する。
【００２５】
また、本発明のゴミ袋によれば、ゴミ袋の正面及び背面の中央の形成される舌片同士ならびに左右両端に形成される舌片同士を袋状になるように其々固結びすることで、ゴミ出し用のゴミ袋として使用することができるといった優れた効果を奏する。
【００２６】
また、本発明のゴミ袋によれば、ゴミ袋の上部の開口部を外側に折り返してゴミ箱の開口部に被覆させ、その上から紐体でもって該開口部が開口状態で固定されるように固結びすることで、ゴミ箱用のゴミ袋として使用可能であって、公共施設や野外施設のゴミ箱用のゴミ袋としても使用することができるといった優れた効果を奏する。
【００２７】
また、本発明のゴミ袋によれば、紐体の両端とゴミ袋の左右両端に形成される舌片とを固結びし、さらにゴミ袋の正面及び背面に其々設けられた開口穴のいずれか一方に吊持フックを通すことで、開口部の開放状態が常時維持される吊持用のゴミ袋として使用可能であって、野外キャンプ用や業務用の吊持用のゴミ袋として使用することができるといった優れた効果を奏する。
【００２８】
また、本発明のゴミ袋によれば、紐体の両端とゴミ袋の左右両端に形成される舌片とを肩掛けすることができるバンド状に固結びすることで、携帯用のゴミ袋として使用可能であって、町内清掃活動や自然環境の美化運動の携帯用のゴミ袋として使用することができるという優れた効果を奏する。
【図面の簡単な説明】
【００２９】
【図１】本発明の請求項１記載のゴミ袋の実施形態を示す説明図である。（実施例１）
【図２】本発明の請求項２記載のゴミ袋の使用態様を示す説明図である。（実施例２）
【図３】本発明の請求項３記載のゴミ袋の使用態様を示す説明図である。（実施例３）
【図４】本発明の請求項４記載のゴミ袋の使用態様を示す説明図である。（実施例４）
【図５】本発明の請求項５記載のゴミ袋の使用態様を示す説明図である。（実施例５）
【発明を実施するための形態】
【００３０】
本発明のゴミ袋１０は、筒状の合成樹脂製シートの下方を閉塞し、上方が開口されて形成されるゴミ袋１０において、上部の開口部６６と平行して正面及び背面に横ミシン目６１を備えて所定幅Ｗを有する紐体６０を形成すると共に、側辺から其々所定幅を空けて該横ミシン目６１とＴ字状に交差するように正面及び背面の左右其々に所定長さの縦ミシン目６５を備えて複数の舌片６２を形成し、且つ、正面及び背面における左右の縦ミシン目６５間の略中央位置に開口穴６７を設けて成り、横ミシン目６１と縦ミシン目６５とを破って適宜固結びすることによって、多目的用途に使用することができる手段を採ったことを最大の特徴とする。以下、本発明に係るゴミ袋の実施形態を、図面に基づいて説明する。
【００３１】
なお、本発明におけるゴミ袋１０は、以下に述べる実施例の構成に特に限定されるものではなく、本発明の趣旨に逸脱しない範囲内において任意に変更することができるものである。
【実施例１】
【００３２】
図１は、本発明の請求項１記載のゴミ袋１０の実施形態を示す説明図である。
本発明のゴミ袋１０は、筒状の合成樹脂製シートの下方を閉塞し、上方が開口されて形成されるゴミ袋１０であって、上部の開口部６６と平行して正面及び背面に横ミシン目６１を備えて所定幅Ｗを有する紐体６０を形成すると共に、側辺から其々所定幅を空けて該横ミシン目６１とＴ字状に交差するように正面及び背面の左右其々に所定長さの縦ミシン目６５を備えて複数の舌片６２を形成し、且つ、正面及び背面における左右の縦ミシン目６５間の略中央位置に開口穴６７を設けて形成されるもので、材質的には炭酸カルシウムを一定量含有するポリエチレンフィルムや、ポリオレフィンフィルム、プラスチックフィルム等の合成樹脂製シートを使用した厚みが３０〜４０μｍ以上の半透明のゴミ袋が使用される。
【００３３】
紐体６０は、ゴミ袋１０の正面及び背面において、上部の開口部６６と平行して所定幅Ｗ（略４０〜５０ｍｍ）を有して設けられる横ミシン目６１によって該横ミシン目６１より上方に形成されるもで、使用される際は二重折りとなって固結びされるため強度的に強く形成されると共に、吊持用の紐体としてや携帯用の肩掛け紐体として、さらにゴミ箱７０の開口部を固定する締付け紐体として使用されるものである。
【００３４】
舌片６２は、側辺から其々所定幅を空けつつ紐体６０を形成する前記横ミシン目６１から下方に向かって且つ該横ミシン目６１とＴ字状に交差するように正面及び背面の左右其々に設けられる所定長さの縦ミシン目６５によって形成され、中央に形成される舌片６３と両端に形成される舌片６４とから成る。このとき、舌片６２を形成する縦ミシン目６５の切り込み最奥部に止め穴６８を設けることで、ゴミの重量による引き裂かれ現象を防止している。
【００３５】
ゴミ袋１０の正面及び背面の中央に形成される舌片６３は、その略中央位置に吊持フック７１やプレート７２が掛けられる開口穴６７が設けられ、ゴミ袋１０の開口部６６の開放を確保する役割を果たすと共に、中央に形成される舌片６３同士を固結びしてゴミ袋１０の開口部６６を封止する役目を果たすものである。
【００３６】
両端に形成される舌片６４は、該舌片６４同士を固結びしてゴミ袋１０の開口部６６を封止する役目を果たす他に、紐体６０の両端部と固結びして吊持用のゴミ袋４０や携帯用のゴミ袋５０として利用することができるものである。
【実施例２】
【００３７】
図２は、本発明の請求項２記載のゴミ袋１０の使用態様を示す説明図である。
当該ゴミ袋１０の使用態様は、ゴミ袋１０の正面及び背面の中央の形成される舌片６３同士ならびに左右両端に形成される舌片６４同士を袋状に其々固結びすることで、一般家庭で使用されるゴミ出し用のゴミ袋２０として利用することができるものである。
【００３８】
ゴミ出し用のゴミ袋２０の開口部６６が舌片６２同士によって強固に固結びされることによって、ゴミの散乱や水漏れ、悪臭や害虫の発生等、ゴミ収集所周辺の環境悪化を防止することができるものである。
【実施例３】
【００３９】
図３は、本発明の請求項３記載のゴミ袋１０の使用態様を示す説明図である。
当該ゴミ袋１０の使用態様は、ゴミ袋１０の上部の開口部６６を外側に折り返してゴミ箱７０の開口部に被覆させ、その上から紐体６０でもって該開口部が開口状態で固定されるように固結びすることによって、公共施設や業務用の大型のゴミ箱用のゴミ袋３０として利用することができるものである。
【００４０】
大型のゴミ箱７０の開口部を紐体６０で固定し、さらに蓋体で閉塞することによって、悪臭や害虫の発生を防止することができると共に、ゴミの廃棄時にゴミ箱７０の開口部の開放状態が確保されるため、零れたりはみ出したりすることなく、衛生的な環境を維持することができるものである。
【実施例４】
【００４１】
図４は、本発明の請求項４記載のゴミ袋１０の使用態様を示す説明図である。
当該ゴミ袋１０の使用態様は、紐体６０の両端とゴミ袋の左右両端に形成される舌片６４とを固結びし、さらに正面及び背面に其々設けられた開口穴６７のいずれか一方に吊持フック７１を通すことで、開口部６６の開放状態が常時維持される吊持用のゴミ袋４０として使用できるものである。
【００４２】
ゴミ箱７０が準備できないキャンプ地や野外行事のゴミ出し用のゴミ袋２０として利用できるもので、現地での携帯用のゴミ袋５０としてや、フェンスや小枝に吊持フック７１で引っ掛けられる吊持用のゴミ袋４０として多目的用途に使用することができる。このとき紐体６０及び開口穴６７が開けられた中央に形成される舌片６３の片方（背面側）が吊持フック４３で掛けられることによって、吊持用のゴミ袋４０の開口部６６の開口状態が確保できるため、ゴミ箱７０などを準備しなくても容易に吊持用のゴミ袋４０に廃棄物を投入することができるものである。
【実施例５】
【００４３】
図５は、本発明の請求項５記載のゴミ袋１０の使用態様を示す説明図である。
当該ゴミ袋１０の使用態様は、紐体６０の両端とゴミ袋１０の左右両端に形成される舌片６４とをやや長めのバンド状に固結びすることで、肩掛け状態で携帯可能な携帯用のゴミ袋５０として利用できるものである。
【００４４】
従来の片手で持つタイプのゴミ袋とは異なり、ゴミ袋１０を肩掛けして両手が空いた状態で持ち運びができるため、町内の清掃活動や自然環境の美化運動の携帯用のゴミ袋５０として利用することができるもので、長時間にわたる手持ち疲労の低減に資すると共に、両手が使えることによって清掃活動の効率化に資し、さらには転んだ時などの安全性が図れるものである
【産業上の利用可能性】
【００４５】
ゴミ袋１０の開口部６６にミシン目で形成される紐体６０と舌片６２及び開口穴を設けた本発明のゴミ袋１０を使用することによって、ゴミ出し用のゴミ袋２０とする他に、ゴミ箱用のゴミ袋３０や吊持用のゴミ袋４０、携帯用のゴミ袋５０としてなど、従来にない多目的用途に使用することができるもので、本発明における「ゴミ袋」の産業上の利用可能性は極めて大であると解する。
【符号の説明】
【００４６】
１０    ゴミ袋
２０    ゴミ出し用のゴミ袋
３０    ゴミ箱用のゴミ袋
４０    吊持用のゴミ袋
５０    携帯用のゴミ袋
６０    紐体
６１    横ミシン目
６２    舌片
６３    中央に形成される舌片
６４    両端に形成される舌片
６５    縦ミシン目
６６    開口部
６７    開口穴
６８    止め穴
７０    ゴミ箱
７１    吊持フック
７２    プレート
Ｗ    所定幅
【要約】
【課題】  ゴミ袋の開口部にミシン目で形成される紐体と舌片及び開口穴を設けることによって、多目的用途に使用できるゴミ袋の提供を図る。
【解決手段】  筒状の合成樹脂製シートの下方を閉塞し、上方が開口されて形成されるゴミ袋において、上部の開口部と平行して正面及び背面に横ミシン目を備えて所定幅を有する紐体を形成すると共に、側辺から其々所定幅を空けて該横ミシン目とＴ字状に交差するように正面及び背面の左右其々に所定長さの縦ミシン目を備えて複数の舌片を形成し、且つ、正面及び背面における左右の縦ミシン目間の略中央位置に開口穴を設けた手段を採る。
【選択図】図１【図１】
0005240637.tif 000002
【図２】
0005240637.tif 000003
【図３】
0005240637.tif 000004
【図４】
0005240637.tif 000005
【図５】
0005240637.tif 000006